(57)【要約】【課題】冷気の流出状態を容易に変更することができ、棚部材の配設位置の変更等による収納部の構成の変化に応じて風制御部材を移動させ棚部材上の商品へ適正な冷却を行うことのできるショーケースを提供すること。【解決手段】収納部(2)を低温に保つショーケース(1)において、前方商品棚(32a)が係止されているとともに、上下複数の通風孔(56,62,64)が穿設された背面ケース前部(8a)に、上下方向に移動可能であって固定された位置に対応する通風孔へ空気流を案内する風制御部材(80)を設ける。【選択図】図６
2009047319.tif 000002
【特許請求の範囲】
【請求項１】
内部に形成された空気流路と、該空気流路内に設けられた送風機及び冷却器と、少なくとも前面が開口し、上部に前記空気流路を流通する空気流を下方に吹き出す吹出口が形成され、下部に前記吹出口から吹き出された空気流の一部を含む外気を吸入する吸入口が形成された収納部と、該収納部に配設された棚部材とを有するショーケースであって、
上下方向に延びて前記空気流路及び前記収納部を区画するよう設けられ、前記棚部材を上下方向の任意に選択された位置で支持するとともに上下方向に複数の通風孔が穿設されたケース部材と、
該ケース部材の空気流路側に上下方向に移動可能に設けられ、固定手段により固定されることで前記複数の通風孔のうち該固定位置に対応する所定の通風孔へ前記空気流路の空気流の一部を案内する風制御部材と、
を備えることを特徴とするショーケース。
【請求項２】
前記風制御部材は、前記棚部材に支持されることで該棚部材と所定の位置関係で固定位置が定まることを特徴とする請求項１記載のショーケース。
【請求項３】
前記ケース部材には、上下方向に複数の係止孔が穿設されており、
前記棚部材は、前記複数の係止孔のうち任意に選択した係止孔に係止可能な係止爪を有し、
前記固定手段は、前記棚部材の係止爪及び該係止爪に支持されるよう前記風制御部材に形成された被支持部であることを特徴とする請求項２記載のショーケース。
【請求項４】
前記風制御部材は、該風制御部材の被支持部が前記棚部材の係止爪に支持されて固定されたとき、該棚部材の棚板の上面近傍及び下面近傍の通風孔と連通する開口部が形成され、該開口部へと前記空気流路の空気流の一部を案内するよう形成されていることを特徴とする請求項３記載のショーケース。
【請求項５】
前記風制御部材は、前記空気流路の空気流の一部を案内する案内板が前記開口部の上縁部分から空気流路側に延びており、
該開口部の開口面積は、前記棚板の上面近傍の通風孔と連通する側が該棚板の下面近傍の通風孔と連通する側よりも小さく形成されていることを特徴とする請求項４記載のショーケース。
【請求項６】
前記ケース部材には、上下方向に延びた長孔が穿設されており、
前記風制御部材は、前記長孔を貫通し前記ケース部材の収納部側まで延びた形状をなし、該長孔に沿って上下方向に摺動可能な操作部を有していることを特徴とする請求項１乃至５記載のショーケース。
【請求項７】
前記固定手段は、前記風制御部材と螺合し、該ケース部材を締結可能な前記操作部であることを特徴とする請求項６記載のショーケース。
【請求項８】
前記固定手段は、前記操作部を掛止可能に前記長孔から幅方向に切り欠かれた掛止部であることを特徴とする請求項６または７記載のショーケース。
【発明の詳細な説明】
【技術分野】
【０００１】
本発明は、収納部を低温に保つショーケースに係る。
【背景技術】
【０００２】
水平方向の少なくとも一方に開口した収納部に上下複数段の商品を載置する商品棚を有する所謂多段ショーケースでは、内部に空気流路が形成されており、当該空気流路内に送風機及び冷却器が設けられている。そして、収納部上部に形成された吹出口から上記冷却器により冷却された冷気が下方へと吹き出され、収納部開口面にはエアカーテンが形成されて、収納部は低温に保たれている。
【０００３】
また、当該収納部の背面を形成するように上下方向に延び、且つ商品棚を支持している背面ケース部材において、空気流路と連通する通風孔を穿設することで収納部内へ冷気を流出させ、冷却性能を高めている。
しかし、単に背面ケース部材に通風孔を穿設しただけの構成では、通風孔の位置等によって冷気の流出量等が異なり、収納部の温度に偏りが生じ、冷却性能が悪化したり、温度差によって棚部材等が結露する等の問題がある。
【０００４】
そこで、空気流路に導風手段を設けることで、各通風孔（吐出口）から収納部へ供給される冷気を均一とする構成のショーケースがある（特許文献１参照）。
【特許文献１】特開２０００−８８４３４号公報
【発明の開示】
【発明が解決しようとする課題】
【０００５】
しかしながら、上記特許文献１に開示された技術では、導風手段がショーケースに固定されているため、収納部の構成が変化した場合に対応できないという問題がある。
例えば収納部において棚部材の配設位置を変更可能なショーケースである場合、棚部材の配設位置が変わることで収納部の構成が変化する。また、収納部に陳列される商品の形状や並べ方が変化した場合にも収納部の構成は変化する。
【０００６】
上記特許文献１のように導風手段が空気流路に固定された構成では、このようにして収納部の構成が変化した場合に、適正な位置から冷気を流出させることができず、棚部材上の商品を十分に冷却することはできないという問題が生じる。
また、上記導風手段はショーケース内部に設けられているため、当該導風手段の位置を変更させるにはショーケースの分解等が必要となり容易ではない。
【０００７】
本発明はこのような問題を解決するためになされたもので、その目的とするところは、冷気の流出状態を容易に変更することができ、棚部材の配設位置の変更等による収納部の構成の変化に応じて風制御部材を移動させ棚部材上の商品へ適正な冷却を行うことのできるショーケースを提供することにある。
【課題を解決するための手段】
【０００８】
上記した目的を達成するために、請求項１のショーケースでは、内部に形成された空気流路と、該空気流路内に設けられた送風機及び冷却器と、少なくとも前面が開口し、上部に前記空気流路を流通する空気流を下方に吹き出す吹出口が形成され、下部に前記吹出口から吹き出された空気流の一部を含む外気を吸入する吸入口が形成された収納部と、該収納部に配設された棚部材とを有するショーケースであって、上下方向に延びて前記空気流路及び前記収納部を区画するよう設けられ、前記棚部材を上下方向の任意に選択された位置で支持するとともに上下方向に複数の通風孔が穿設されたケース部材と、該ケース部材の空気流路側に上下方向に移動可能に設けられ、固定手段により固定されることで前記複数の通風孔のうち該固定位置に対応する所定の通風孔へ前記空気流路の空気流の一部を案内する風制御部材とを備えることを特徴としている。
【０００９】
請求項２のショーケースでは、請求項１において、前記風制御部材は、前記棚部材に支持されることで該棚部材と所定の位置関係で固定位置が定まることを特徴としている。
請求項３のショーケースでは、請求項２において、前記ケース部材には、上下方向に複数の係止孔が穿設されており、前記棚部材は、前記複数の係止孔のうち任意に選択した係止孔に係止可能な係止爪を有し、前記固定手段は、前記棚部材の係止爪及び該係止爪に支持されるよう前記風制御部材に形成された被支持部であることを特徴としている。
【００１０】
請求項４のショーケースでは、請求項３において、前記風制御部材は、該風制御部材の被支持部が前記棚部材の係止爪に支持されて固定されたとき、該棚部材の棚板の上面近傍及び下面近傍の通風孔と連通する開口部が形成され、該開口部へと前記空気流路の空気流の一部を案内するよう形成されていることを特徴としている。
請求項５のショーケースでは、請求項４において、前記風制御部材は、前記空気流路の空気流の一部を案内する案内板が前記開口部の上縁部分から空気流路側に延びており、該開口部の開口面積は、前記棚板の上面近傍の通風孔と連通する側が該棚板の下面近傍の通風孔と連通する側よりも小さく形成されていることを特徴としている。
【００１１】
請求項６のショーケースでは、請求項１乃至５において、前記ケース部材には、上下方向に延びた長孔が穿設されており、前記風制御部材は、前記長孔を貫通し前記ケース部材の収納部側まで延びた形状をなし、該長孔に沿って上下方向に摺動可能な操作部を有していることを特徴としている。
請求項７のショーケースでは、請求項６において、前記固定手段は、前記風制御部材と螺合し、該ケース部材を締結可能な前記操作部であることを特徴としている。
【００１２】
請求項８のショーケースでは、請求項６または７において、前記固定手段は、前記操作部を掛止可能に前記長孔から幅方向に切り欠かれた掛止部であることを特徴としている。
【発明の効果】
【００１３】
上記手段を用いる本発明の請求項１のショーケースによれば、少なくとも前面が開口した収納部を低温に保つショーケースにおいて、上下方向に延び当該ショーケースの空気流路と収納部とを区画し棚部材を上下方向の任意に選択された位置で支持するケース部材に上下複数の通風孔が穿設されており、風制御部材により所定の通風孔へ空気流を案内する構成としている。
【００１４】
風制御部材は上下に移動可能であり固定手段により固定されるものであって、固定位置に対応する所定の通風孔へ空気流路の空気流の一部を案内することで、当該所定の通風孔から流出される空気流を増加させることができる。
つまり、風制御部材の固定位置を変えることで、空気流を増加させる通風孔を変更することができる。
【００１５】
これにより、棚部材の配設位置の変更等による収納部の構成の変化に応じて、当該収納部の構成に適した位置に風制御部材を固定し、適正な冷却を行うことができる。
請求項２のショーケースによれば、風制御部材を棚部材に支持することで当該棚部材と所定の位置関係で固定位置が定まるものとする。
つまり、風制御部材を常に棚部材と所定の位置関係を確保しつつ固定させることができる。
【００１６】
これにより、棚部材の配設位置を変更させた場合においても、棚部材に対して所定の位置関係にある通風孔からの空気流を増加させることができる。
請求項３のショーケースによれば、棚部材の係止爪をケース部材の係止孔に係止させることで棚部材をケース部材の上下方向の任意の位置に支持するものとし、当該係止爪と当該係止爪に支持される風制御部材の被支持部を固定手段とする。
【００１７】
これにより、容易且つ確実に風制御部材を常に棚部材と所定の位置関係を確保しつつ固定させることができる。
請求項４のショーケースによれば、被支持部が棚部材被の係止爪に支持されたとき当該棚部材の棚板の上面近傍及び下面近傍の通風孔へ空気流を案内するよう風制御部材を形成する。
【００１８】
つまり、棚部材の配設位置を変更させた場合においても、確実に棚部材の上面近傍及び下面近傍の通風孔からの空気流を増加させることができる。
したがって、棚部材の棚板の上面及び下面に沿って空気流が流れ、当該棚板上下面の温度差を縮小させることができ、これにより結露を防止することができる。
請求項５のショーケースによれば、前記風制御部材に開口部の上縁部分から空気流を案内する案内板を設け、開口部の開口面積を棚板の上面近傍の通風孔と連通する側を小さく形成する。
【００１９】
風制御部材の開口部の上縁部分から案内板を設けることで棚板の上面側の通風孔から比較的多くの空気流が流出するが、開口部の開口面積を当該棚板上面側の通風孔と連通する側を棚板下面側の通風孔と連通する側よりも小さくすることで、棚板の上面及び下面に略同量の空気流を流すことができ、より確実に棚板の結露を防止させることができる。
請求項６のショーケースによれば、前記ケース部材に上下方向に延びた長孔が穿設されており、風制御部材は当該長孔を貫通し収納部側まで延び当該長孔に沿って上下摺動可能な操作部を有している。
【００２０】
つまり、当該操作部によって、ショーケース内側に設けられている風制御部材を、ショーケースを分解等することなく、ショーケース外側から長孔に沿って上下方向に移動させることができる。
これより、風制御部材の位置を容易に変更させることができる。
請求項７のショーケースによれば、風制御部材と螺合しケース部材を締結することで当該風制御部材を固定する操作部を、風制御部材の固定手段としている。
【００２１】
つまり、上記長孔上の任意の位置で当該操作部を締め付けることで風制御部材をケース部材の任意の位置に固定することができる。
これにより、流出する空気量を増加させる通風孔をケース部材の通風孔のうち任意に選択することができる。
請求項８のショーケースによれば、操作部を掛止可能に前記長孔から幅方向に切り欠かれた掛止部を、風制御部材の固定手段としている。
【００２２】
つまり、予め所定の位置に形成された掛止部に風制御部材を固定することができる。
これにより、例えば、棚部材の配設位置がある程度限定されている場合等に、予め棚部材の配設可能な位置に対応した掛止部を形成することで、棚部材の配設位置を変更に応じて風制御部材を容易且つ確実に適正な位置に固定することができる。
【発明を実施するための最良の形態】
【００２３】
以下、本発明の実施の形態を図面に基づき説明する。
図１乃至４を参照すると、図１には本発明に係るショーケースの斜視図、図２にはＡ−Ａ線に沿う断面図、図３には正面断面図、図４には上面視図がそれぞれ示されている。
同図に示すように、ショーケース１は、前方及び両側方の水平方向三方に開口した収納部２を有する、所謂三面開口オープンショーケースである。
【００２４】
当該ショーケース１は、底部の機械室４、当該機械室４の上に設けられた下部ケース６、当該下部ケース６から上下方向に立設した背面ケース８、当該背面ケース８の上端に設けられた上部ケース１０、及び機械室４、下部ケース６、背面ケース８（ケース部材）、上部ケース１０のそれぞれの後面をなすよう上下方向に延びた後面板１２から構成されている。
【００２５】
詳しくは、機械室４内には、図示しない圧縮機、凝縮器、膨張弁等が設けられており、これら各装置を冷媒が循環する冷凍回路が形成されている。
下部ケース６は、背面ケース８部分を除いた上面視コの字状をなす上面６ａが、収納部２の下面をなしている。また、当該下部ケース６の上面６ａには周縁に沿って上方に開口した吸入口２０が形成されており、当該下部ケース６の内部には当該吸入口２０と連通する下部通風路２２が形成されている。
【００２６】
下部通風路２２には、後面板１２の幅方向中央部から前方に延び且つ底面から背面ケース８内を通り上部ケース１０上面まで延びた中央壁２４が立設されている。
また、当該下部通風路２２には中央壁２４の幅方向両側に蒸発器２６、２６（冷却器）が設けられている。当該蒸発器２６、２６は上記機械室４内の冷凍回路と接続されており、空気流を冷却する機能を有している。
【００２７】
さらに、当該下部通風路２２には、蒸発器２６、２６の幅方向両側において当該蒸発器２６、２６へ空気流を案内するダクトケース２８、２８が形成されている。また、当該ダクトケース２８、２８の空気流入口部分には空気流下流側へ送風する送風機３０、３０が設けられている。
背面ケース８は、上面視において、後面板１２の幅方向中央部から前方に延びている。なお、当該背面ケース８の前部８ａにおいては幅方向に拡大し、上面視略矩形状をなしている。
【００２８】
背面ケース８における前部８ａ及び両側部８ｂ、８ｂは、収納部２の背面をなしており、上下に３段の商品棚３２、３２、３２（棚部材）がそれぞれ設けられている。なお、上側ほど棚板の面積が小さな商品棚３２が配設されている。
また、当該背面ケース８の内部には、下部通風路２２と連通する背面通風路３４が形成されている。なお、上記中央壁２４は、当該背面ケース８の前部８ａ内を除き、側部８ｂ、８ｂ間に位置している。
【００２９】
上部ケース１０は、背面ケース８の上端から前方及び両側方に拡がった形状をなしており、背面ケース８部分を除いた下面視コの字状をなす下面１０ａが収納部２の上面をなしている。なお、当該上部ケース１０は、上面視において、外周縁が下部ケース６よりわずかに内側にあり、上記商品棚３２を覆うよう形成されている。
また、当該上部ケース１０の内部には背面通風路３４と連通する上部通風路３６が形成されており、当該上部ケース部１０の下面１０ａの周縁には下方に開口した吹出口３８が形成されている。
【００３０】
このように、ショーケース１の内部には、下部ケース６の吸入口２０から、下部通風路２２、背面通風路３４、及び上部通風路３６を経て吹出口３８へと空気流が流通する空気流路が形成されている。
そして、収納部２は下部ケース６の上面６ａ、背面ケース８の前部８ａ及び側面部８ｂ、８ｂ、上部ケース１０の下面１０ａ、及び後面板１２に囲まれて構成されている。
【００３１】
また、収納部２には、背面ケース８の前部８ａの後面から幅方向外側に延長し且つ下部ケース６の上面６ａから上部ケース１０の下面１０ａまで延びた区画板４０、４０が設けられている。当該区画板４０、４０により収納部２は前方収納部２ａ及び側方収納部２ｂ、２ｂに区画されている。なお、各商品棚３２も当該区画板４０、４０を隔てて前方商品棚３２ａ及び側方商品棚３２ｂ、３２ｂから構成されており、前方商品棚３２ａは背面ケース８の前部８ａに、側方商品棚３２ｂ、３２ｂは背面ケース８の側部８ｂ、８ｂにそれぞれ支持されている。
【００３２】
以下、前方収納部２ａについて詳しく説明する。
図５乃至９を参照すると、図５には本発明のショーケースの前方収納部の斜視図、図６には前方収納部の正面図、図７には前方から視た背面ケース前部及び風制御部材の分解斜視図、図８には後方から視た背面ケース前部及び風制御部材の分解斜視図、図９には図６のＣ−Ｃ線に沿う断面図がそれぞれ示されている。
【００３３】
同図に示すように、当該前方収納部２ａにおいて背面を形成している背面ケース８の前部８ａ（以下、背面ケース前部８ａという）は、前面角部分が面取り状に屈曲した形状をなしている。つまり、当該背面ケース前部８ａは、前面部５０、面取り部５２、５２、及び側面部５４、５４から構成されている。なお、背面ケース前部８ａの後面部は前方収納部２ａを構成しないため、ここでは図示していない。
【００３４】
当該背面ケース前部８ａの前面部５０には、幅方向中央部において幅方向に延びた矩形状の通風孔５６が上下方向に複数並んで穿設されている。これにより、当該前面部５０の幅方向中央部には上下方向に延びた通風孔列５６ａが形成されている。
また、当該前面部５０において、上記通風孔列５６ａより幅方向両外側位置には小さな矩形状の係止孔５８が上下方向に複数並んで穿設されている。つまり、当該前面部５０において通風孔列５６ａの両外側には上下方向に延びた係止孔列５８ａ、５８ａが形成されている。
【００３５】
さらに、当該前面部５０において、当該係止孔列５８ａ、５８ａより幅方向両外側位置には上下方向に長い長孔６０が上部、中部、下部の３部分に穿設されている。つまり、当該前面部５０において係止孔列５８ａの両外側には上下方向に延びた長孔列６０ａ、６０ａが形成されている。また、当該各長孔６０は、上端部分に幅方向一側に逆Ｊ字状に切り欠かれた掛止部６０ｂが形成されている。
【００３６】
また、当該背面ケース前部８ａの面取り部５２、５２には、それぞれ上記前面部５０の各通風孔５６と対応した同じ高さ位置に、幅方向に延びた矩形状の通風孔６２が穿設されている。さらに、当該背面ケース前部８ａの側面部５４、５４においては、それぞれ上記前面部５０の通風孔５６、面取り部の通風孔６２と同じ高さ位置に円形状の通風孔６４が前後方向に２つ並んで穿設されている。これにより、当該背面ケース前部８ａの面取り部５２、５２及び側面部５４、５４において、上下方向に延びた通風孔列６２ａ、６２ａ、６４ａ、６４ａが形成されている。
【００３７】
そして、当該背面ケース前部８ａの任意に選択された係止孔５８に各前方商品棚３２ａが係止されている。
詳しくは、各前方商品棚３２ａは、それぞれ透明なガラスからなる３枚の棚板７０が幅方向に並んで枠ブラケット７２上に載置され、当該枠ブラケット７２と一体をなした一対の係止ブラケット７４、７４の係止爪７４ａが上記係止孔５８に係止されている。なお、当該係止爪７４ａａは当該係止ブラケット７４の後端部分に上下一対に設けられている。
【００３８】
また、枠ブラケット７２においては、背面ケース前部８ａの前面部５０と当接する後辺部７２ａの上部であって幅方向中央部及び両側部に幅方向に延びた矩形状の貫通孔７２ｂ、７２ｂ、７２ｂが穿設されている。当該幅方向中央部の貫通孔７２ｂは、前方商品棚３２ａが背面ケース前部８ａに係止されているとき、背面ケース前部８ａの前面部５０において当該前方商品棚３２ａの棚板７０の下方直近に位置する通風孔５６と連通する位置に形成されている。また、幅方向両側部の貫通孔７２ｂ、７２ｂは、前方商品棚３２ａ係止されているときに、各面取り部５２において前方商品棚３２ａの棚板７０の下方直近に位置する通風孔６２の開口方向延長上に位置するよう形成されている。
【００３９】
また、背面ケース前部８ａの内側、即ち背面通風路３４側には、風制御部材８０が各商品棚３２に対応して上下方向３部分に設けられている。
当該３つの風制御部材８０はそれぞれ同様の構成をなしており、背面ケース前部８ａの内側面と当接している当接部８２、逆Ｌ字状に屈曲した風案内部８４（案内板）、２つのビス８６、８６（操作部）、及びビス止め板８８から構成されている。
【００４０】
詳しくは、当接部８２は、上記背面ケース前部８ａの内側面と当接するよう前面角部分が面取り状に屈曲した形状をなしている。
そして、当該当接部８２には、背面ケース前部８ａの前面部５０において近接した上下２つの通風孔５６と連通可能に開口した前面開口部９０が穿設されている。また、当該当接部８２の面取り部から側面部にかけて、上記前面開口部９０と同じ高さ位置に側面開口部９２が形成されている。当該側面開口部９２は、背面ケース前部８ｂの面取り部５２、５２及び側面部５４、５４の上下近接した２つの通風孔６２、６４と連通するように開口している。
【００４１】
また、当該当接部８２の下部には、背面ケース前部８ａの係止孔列６０ａ、６０ａと対応した位置に、下方に開放した係合溝９４、９４（被支持部）が形成されている。当該各係合溝９４は、上記前面開口部９０の上下方向中央位置と略同じ高さ位置まで延びている。そして、当該係合溝９４は、上記前方商品棚３２ａの係止爪７４ａと係合可能であり、上端縁が上側の係止爪７４ａと当接することで、当該風制御部材８０は当該係止爪７４ａに支持されて上下方向の位置が定まる。またこのとき、当該風制御部材８０の前面開口部９０及び側面開口部９２は商品棚３２ａの棚板７０の上面近傍及び下面近傍に位置する通風孔５６、６２、６４と連通する。具体的には、当該棚板７０の位置に対して直近位置、即ち上下それぞれ一つ目の通風孔５６、６２、６４と連通するよう形成されている。
【００４２】
さらに、当該当接部８２の上部の幅方向両側には、背面ケース前部８ａの長孔列６０ａと対応する位置から幅方向一側に延びたスライド孔９６、９６が穿設されている。
風案内部８４は、当接部８２の前面開口部９０の上縁位置から後方に水平面８４ａが延びており、当該水平面８４ａの後端から側面部５４の通風孔６４の後端位置を通るよう下方に鉛直面８４ｂが延びている。なお、当該鉛直面８４ｂの下端は前面開口部９０及び側面開口部９２より下方まで延びている。
【００４３】
また、各ビス８６は背面ケース前部８ａの長孔６０及び風制御部材８０のスライド孔９６を貫通してビス止め板８８に螺合されている。当該各ビス８６は、背面ケース前部８ａの長孔６０に沿って上下方向に摺動可能であるとともに、風制御部材８０のスライド孔９６を幅方向に摺動可能である。そして、当該各ビス８６は、背面ケース前部８ａの長孔６０の掛止部６０ｂに掛止可能である。
【００４４】
このように構成された風制御部材８０は、各係合溝９４が前方商品棚３２ａの上側の係止爪７４ａに支持され、このときに前面開口部９０及び側面開口部９２は、背面ケース前部８ａにおいて前方商品棚３２ａの棚板７０の上下直近に位置する通風孔５６、６２、６４と連通するよう形成されている。
一方、側方収納部２ｂ、２ｂにおいては、図３に示すように、背面ケース８の側部８ｂ、８ｂに形成された図示しない係止孔に各側方商品棚３２ｂが係止されて支持されている。そして、背面ケース８の側部８ｂ、８ｂに通風孔１００が上下方向に複数穿設されている。
【００４５】
以下このように構成された本発明に係るショーケースの作用について説明する。
当該ショーケース１では、冷却運転時にはファン３０、３０が回転し、蒸発器２６、２６による冷却が行われる。
当該ファン３０、３０により送風される空気流はダクトケース２８、２８内を通り蒸発器４４にて冷却され、背面通風路３４及び上部通風路３６を通って吹出口３８から下方に向かって吹き出される。この下方に吹き出された冷気により収納部２は冷却されるとともに、当該収納部２の開口面である前方及び側方にはエアカーテンが形成される。
【００４６】
そして、吹出口３８から吹き出された冷気は外気とともに吸入口２０に吸入され、下部通風路２２を通ってファン３０、３０へと導かれる。
このようにして、冷気は循環するとともに、背面通風路３４においては冷気の一部が背面ケース８の前部８ａや側面８ｂ、８ｂに穿設されている通風孔５６、６２、６４、１００から収納部２へと流出し、収納部２の冷却を促進させる。
【００４７】
特に、前方収納部２ａにおいては、背面ケース前部８ａの内側に風制御部材８０が設けられており、背面通風路３４を流通する冷気の一部は逆Ｌ字状をなす風案内部８４に沿って前面開口部９０、側面開口部９２と連通する所定の通風孔５６、６２、６４へと案内され、当該所定の通風孔５６、６２、６４から流出する冷気は増加される。
当該風制御部材８０は、前方商品棚３２ａの係止爪７４ａに支持されているとき、前面開口部９０及び側面開口部９２は前方商品棚３２ａの棚板７０の上下直近に位置する通風孔５６、６２、６４と連通している。したがって、当該棚板７０の上下直近に位置する通風孔５６、６２、６４から流出する冷気が増加されることで、当該棚板７０の上面及び下面に沿って冷気は流れる。このように棚板７０の上面及び下面に沿って冷気が流れることで当該棚板７０上下面の温度差を縮小する。これにより、たとえ三方に開口し外気が入り込みやすい前方収納部２ｂであっても、十分に結露を防止することができる。
【００４８】
また、前方商品棚３２ａは係止させる係止孔５８を変更することで配設位置の変更が可能であり、それに伴って風制御部材８０の固定位置も変更可能である。
ここで、当該実施例における前方商品棚３２ａ及び風制御部材８０の位置変更方法について説明する。
まず、前方商品棚３２ａの配設位置を変更させる前に、風制御部材８０の各ビス８６を各長孔６０に沿って上方へと摺動させることで風制御部材８０を上方へと移動させる。そして、長孔６０上部において、各ビス８６を幅方向一側に摺動させて各掛止部６０ｂに掛止させる。このとき各ビス８６は風制御部材８０のスライド孔９６に沿ってビス止め板８８とともに幅方向に摺動するため、風制御部材８０自体は幅方向に移動することない。つまり、当該風制御部材８０は横断面形状において背面ケース前部８ａに沿った形状であるため幅方向に移動はできないが、各ビス８６は幅方向に摺動可能なので掛止部６０ｂに掛止可能である。
【００４９】
このように風制御部材８０を長孔６０の上部の掛止部６０ｂに固定した後、前方商品棚３２ａの各係止爪７４ａを各係止孔５８から取り外し、新たに選択した係止孔５８へ係止させることで、前方商品棚３２ａの配設位置を変更する。
その後、風制御部材８０の各ビス８６を掛止部６０ｂから長孔６０へと摺動させ、長孔６０に沿って下方へと摺動させていくことで、当該風制御部材８０の係合溝９４と前方商品棚３２ａの係止爪７４ａとは係合する。そして、当該風制御部材８０の係合溝９４の上端縁と前方商品棚３２ａの上側の係止爪７４ａとが当接することで、当該風制御部材８０は当該係止爪７４ａに支持されて固定される。
【００５０】
このように、風制御部材８０は、前方商品棚３２ａの配設位置の変更に伴い、ショーケース１を分解等することなくビス８６を介して外側からの操作で風制御部材８０を容易に移動させることができる上、前方商品棚３２ａとの関係で適切な位置に固定が可能である。
つまり、前方商品棚３２ａの配設位置を変更させた場合にも、風制御部材８０は当該前方商品棚３２ａの係止爪７４ａに支持されることで、風制御部材８０の前面開口部９０及び側面開口部９２は確実に前方商品棚３２ａの棚板７０上下直近の通風孔５６、６２、６４と連通することとなり、上述したよう当該棚板７０の結露を防止することができる。
【００５１】
なお、風制御部材８０は、各ビス８６を各掛止部６０ｂに係止させた状態、即ち長孔６０の上部位置に固定された状態では、当該長孔６０上部にある通風孔５６、６２、６４へ空気流を案内することとなる。したがって、例えば当該風制御部材８０を掛止部６０ｂに固定することで、商品棚３２ａ位置と関係なく、長孔６０上部にある通風孔５６、６２、６４からの冷気の流出を増加させることもできる。つまり、前方商品棚３２ａと離れた位置にある通風孔５６、６２、６４の冷気の流出を増加させることも可能である。
【００５２】
以上のことから、本発明に係るショーケースでは、当該収納部２の構成に適した位置に風制御部材８０を固定することができ、商品棚３２の配設位置の変更等による収納部２の構成の変化に対応し、適正な冷却を行うことができる。
以上で本発明に係るショーケースの実施形態についての説明を終えるが、実施形態は上記実施形態に限られるものではない。
【００５３】
上記実施形態では、風制御部材８０は前方商品棚３２ａの係止爪７４ａに支持されることで固定されているが、当該風制御部材を固定する固定手段はこれに限られるものではない。
例えば、第１変形例として、上記実施形態における風制御部材８０のビス８６、８６をビス止め部材８８にさらに締め付け可能な締結ビスとし、当該締結ビスを締め付けることで、当該締結ビスの頭部とビス止め部材との間に風制御部材の当接部及び背面ケース前部を挟んで締結し、当該風制御部材を固定する構成としてもよい。
【００５４】
このような構成の第１変形例であれば、任意の位置で締結ビスを締め付けることで風制御部材を背面ケースの任意の位置に固定することができる。これにより、流出する空気流を増加させる通風孔を背面ケースの通風孔のうち任意に選択することができる。
また、第２変形例として、図１０に示すように、上記実施形態における背面ケース前部８ａの長孔６０に上下方向複数の掛止部６０ｂ’を形成する。なお、各掛止部６０ｂ’は上記実施形態の掛止部６０ｂと同様にそれぞれ幅方向一側にＪ字状に切り欠かれた形状をなしており、風制御部材の各ビス８６’が掛止可能である。
【００５５】
このような構成の第２変形例では、予め所定の位置に形成された掛止部６０ｂ’の位置に風制御部材８０’を固定することができる。
これは、商品棚３２’の配設位置がある程度限定されている場合等に有利であり、予め前方商品棚３２ａ’の配設可能な位置に対応して各掛止部６０ｂ’を形成することで、前方商品棚３２ａ’の配設位置を変更に応じて風制御部材８０’を容易且つ確実に適正な位置に固定することができる。
【００５６】
また、この他にも、上記実施形態における風制御部材８０の風案内部８４は前面開口部９０の上端縁から延びているため、当該前面開口部９０上側に空気流が集中するおそれがある。そこで、上記実施形態のように結露防止のために棚板７０の上面及び下面に均等な冷気を流出させる場合等には、図１１に示すように、前面開口部９０の上側の開口面積を小とする形状としても構わない。詳しくは、図１１（ａ）に示すように前面開口部９０’’の上側を幅方向に縮小させた形状としたり、図１１（ｂ）に示すように前面開口部９０’’’の上側を複数の円孔とした形状としても構わない。なお、側面開口部においても同様に上側の開口面積を小とする形状としても構わない。
【００５７】
また、上記実施形態では、風制御部材８０の風案内部８４は前面開口部９０の上縁位置から延びているが、例えば前面開口部９０の上下中間位置から延びる風案内部を追加して設けても構わない。当該構成とすることでも棚板の上面及び下面近傍の通風孔から上下略均等な冷気を流出させることができる。
また、上記実施形態では、風制御部材８０の風案内部８４は逆Ｌ字状をなしているがこの形状に限られるものではなく、例えば、前面開口部９０上端縁から滑らかに湾曲して下方へと延びる形状であっても構わない。
【００５８】
また、上記実施形態では、商品棚３２の棚板７０をガラスとしているが、当該棚板はこれに限られるものではなく、樹脂等の他の素材のものであっても構わない。
また、上記実施形態では、ショーケース１は三方開口ショーケースであるが、このような構成のショーケースに限られるものではなく、例えば一方のみに開口した多段ショーケースであっても構わない。
【図面の簡単な説明】
【００５９】
【図１】本発明に係るショーケースの斜視図である。
【図２】図１のＡ−Ａ線に沿う断面図である。
【図３】図１のＢ−Ｂ線に沿う断面図である。
【図４】本発明に係るショーケースの上面視図である。
【図５】本発明に係るショーケースの前方収納部の斜視図である。
【図６】本発明に係るショーケースの前方収納部の正面図である。
【図７】本発明に係るショーケースの前方から視た背面ケース前部及び風制御部材の分解斜視図である。
【図８】本発明に係るショーケースの後方から視た背面ケース前部及び風制御部材の分解斜視図である。
【図９】図６のＣ−Ｃ線に沿う断面図である。
【図１０】第２変形例における背面ケース前部の正面図である。
【図１１】風制御部材の前面開口部の変形例を示した図である。
【符号の説明】
【００６０】
１  ショーケース
８  背面ケース
８ａ  背面ケース前部
３２、３２’  商品棚
３２ａ、３２ａ’  前方商品棚
３４  背面通風路
５６、６２、６４、１００  通風孔
５８  係止孔
６０  長孔
６０ｂ、６０ｂ’  掛止部（固定手段）
７０  棚板
７４ａ  係止爪（固定手段）
８０、８０’  風制御部材
８４  風案内部（風案内板）
８６、８６’  ビス（操作部、固定手段）
９０、９０’’、９０’’’  前面開口部
９２  側面開口部
９４  係合溝（被支持部、固定手段）
９６  スライド孔
【図１】
2009047319.tif 000003
【図２】
2009047319.tif 000004
【図３】
2009047319.tif 000005
【図４】
2009047319.tif 000006
【図５】
2009047319.tif 000007
【図６】
2009047319.tif 000008
【図７】
2009047319.tif 000009
【図８】
2009047319.tif 000010
【図９】
2009047319.tif 000011
【図１０】
2009047319.tif 000012
【図１１】
2009047319.tif 000013